(57)【要約】【課題】建具の縦枠と障子との隙間からの漏水を防ぐとともに、縦枠を確実に設置できるようにする。【解決手段】縦枠本体７１と、縦枠本体７１から見込み方向に向けて突出し、額縁８に固定されるアングル部７３と、縦枠本体７１から見付け方向に沿って内方に突出し、先端部に障子４との間の止水を行う止水材７５が取り付けられる止水材取付部７２とを有した縦枠７を備える建具において、止水材取付部７２を縦枠本体７１と一体に形成し、縦枠本体７１に対してアングル部７３を伸縮可能な連結部７４を介して見込み方向及び見付け方向に変位可能に連結した。【選択図】図４
2013227740.tif 000002
【特許請求の範囲】
【請求項１】
縦枠本体と、前記縦枠本体から見込み方向に向けて突出するアングル部と、前記縦枠本体から見付け方向に沿って内方に突出し、先端部に障子との間の止水を行う止水材が取り付けられる止水材取付部とを有した縦枠を備える建具において、
前記止水材取付部を前記縦枠本体と一体に形成し、前記縦枠本体に対して前記アングル部を伸縮変形可能な連結部を介して見込み方向及び見付け方向に変位可能に連結したことを特徴とする建具。
【請求項２】
前記連結部は、弾性樹脂材によって成形したことを特徴とする請求項１に記載の建具。
【請求項３】
前記アングル部を、前記連結部よりも弾性率の大きい弾性樹脂材によって成形し、かつ前記アングル部及び前記連結部を一体に成形したことを特徴とする請求項２に記載の建具。
【請求項４】
前記アングル部及び前記縦枠本体の少なくとも一方に、前記連結部の表面を覆うカバー部を設けたことを特徴とする請求項１乃至請求項３のいずれか１項に記載の建具。
【発明の詳細な説明】
【技術分野】
【０００１】
本発明は、建具に関し、特に、浴室と脱衣室との間の出入口に設けられる建具に関する。
【背景技術】
【０００２】
建具の開口枠に用いられる縦枠には、縦枠本体にアングル部及び止水材取付部が設けられているものがある（たとえば、特許文献１を参照。）。アングル部は、縦枠本体の隅部から見込み方向に突出しているヒレ状部分であり、躯体に設けられた額縁に固定される。止水材取付部は、縦枠本体の隅部から見付け方向に沿って開口枠の内方に突出しているヒレ状部分であり、先端部に止水材が取り付けられている。
【０００３】
この種の縦枠は、縦枠本体の見込み面に設けたネジ締結孔を介して躯体にネジを締結するとともに、アングル部に設けたネジ締結孔を介して額縁にネジを締結することによって設置される。止水材は、建具の障子を閉じると障子に圧接された状態となり、縦枠と障子との隙間を通じた水の出入りを制限することができる。
【先行技術文献】
【特許文献】
【０００４】
【特許文献１】特開２００７−１２６８９７号公報
【発明の概要】
【発明が解決しようとする課題】
【０００５】
ところで、住宅やホテルなどでは、近年、浴室にユニットバスを設置することが多い。ユニットバスを設置した浴室を対象として建具を設ける場合には、縦枠本体がユニットバスの壁パネルに締結され、アングル部が建物の躯体に設けた額縁に締結されることになる。そのため、建物の躯体に対してユニットバスが正確に位置決めされた状態で設置されない場合には、縦枠本体を締結する壁パネルと躯体に設けられた額縁との距離が縦枠の寸法に合致しない事態が発生する。このような状況下で縦枠を設置すると、縦枠本体やアングル部に応力が作用し曲げ変形が生じる。また、縦枠本体及びアングル部に作用する応力は、止水材取付部にも影響を及ぼすことになり、縦枠本体に対する止水材の位置が見込み方向に変位する恐れがある。その結果、障子を閉めたときに止水材が障子に圧接されない事態を招来し、止水材と障子との隙間を通って浴室から脱衣室へと漏水する恐れがある。
【０００６】
さらに、壁パネルに設けたネジ孔と額縁に設けたネジ孔との距離が、縦枠本体に設けたネジ締結孔とアングル部に設けたネジ締結孔との距離に合致していない場合には、ネジを締結することができず、縦枠を設置することが困難になる等、建具の施工に多大な影響を及ぼす恐れがある。
【０００７】
本発明は、上記に鑑みてなされたものであって、縦枠と障子との隙間からの漏水を防ぐとともに、縦枠を確実に設置することが可能な建具を提供することを目的とする。
【課題を解決するための手段】
【０００８】
上記の目的を達成するために、本発明に係る建具は、縦枠本体と、前記縦枠本体から見込み方向に向けて突出するアングル部と、前記縦枠本体から見付け方向に沿って内方に突出し、先端部に障子との間の止水を行う止水材が取り付けられる止水材取付部とを有した縦枠を備える建具において、前記止水材取付部を前記縦枠本体と一体に形成し、前記縦枠本体に対して前記アングル部を伸縮変形可能な連結部を介して見込み方向及び見付け方向に変位可能に連結したことを特徴とする。
【０００９】
この発明によれば、縦枠本体を固定する部位とアングル部を固定する部位との距離が縦枠の寸法に合致していない場合でも、縦枠本体に対するアングル部の相対位置が変わることで、応力による曲げ変形を防ぐことができる。また、止水材取付部は縦枠本体に一体に形成されているので、アングル部の相対位置が変わっても障子に対する止水材の位置は変わらない。そのため、縦枠と障子との隙間からの漏水を防ぐとともに、縦枠を確実に設置することができる。
【００１０】
また、本発明は、上述した建具において、前記連結部は、弾性樹脂材によって成形したことを特徴とする。
【００１１】
この発明によれば、連結部が弾性変形することで縦枠本体に対するアングル部の相対位置を連続的かつ複合的に変えることができる。そのため、簡単な構成で縦枠と障子との隙間からの漏水を防ぐとともに、縦枠を確実に設置することができる。
【００１２】
また、本発明は、上述した建具において、前記アングル部を、前記連結部よりも弾性率の大きい弾性樹脂材によって成形し、かつ前記アングル部及び前記連結部を一体に成形したことを特徴とする。
【００１３】
この発明によれば、アングル部を縦枠本体に連結する作業が容易になる。
【００１４】
また、本発明は、上述した建具において、前記アングル部及び前記縦枠本体の少なくとも一方に、前記連結部の表面を覆うカバー部を設けたことを特徴とする。
【００１５】
この発明によれば、連結部の表面がカバー部で覆われるので、連結部の露出を抑制することができる。
【発明の効果】
【００１６】
本発明に係る建具によれば、縦枠本体を固定する部位とアングル部を固定する部位との距離が縦枠の寸法に合致していない場合でも、縦枠本体に対するアングル部の相対位置が変わることで、応力による曲げ変形を防ぐことができる。また、止水材取付部は縦枠本体に一体に形成されているので、アングル部の相対位置が変わっても障子に対する止水材の位置は変わらない。そのため、縦枠と障子との隙間からの漏水を防ぐとともに、縦枠を確実に設置することができる。
【図面の簡単な説明】
【００１７】
【図１】図１は、本発明の実施の形態１である建具の概略構成を示す正面図である。
【図２】図２は、図１に示したＡ−Ａ線に沿った断面図である。
【図３】図３は、図１に示したＢ−Ｂ線に沿った断面図である。
【図４】図４は、図３の縦枠及びその周囲を拡大して示す図である。
【図５】図５は、実施の形態１の建具による作用効果の一例を示す断面図である。
【図６】図６は、実施の形態１の建具による作用効果の別の一例を示す断面図である。
【図７】図７は、本発明の実施の形態２である建具における縦枠本体とアングル部との連結構成を示す図である。
【図８】図８は、本発明の実施の形態３である建具における縦枠本体とアングル部との連結構成を示す図である。
【図９】図９は、本発明の実施の形態４である建具における縦枠本体とアングル部との連結構成を示す図である。
【発明を実施するための形態】
【００１８】
以下、図面を参照しながら、本発明に係る建具の実施の形態を詳細に説明する。なお、実施の形態を説明するための全図において、同一機能を有するものは同一符号を付け、その繰り返しの説明は省略する。
【００１９】
（実施の形態１）
図１は、本発明の実施の形態１である建具の概略構成を示す正面図である。図２は、図１に示したＡ−Ａ線に沿った断面図である。図３は、図１に示したＢ−Ｂ線に沿った断面図である。図４は、図３の縦枠及びその周囲を拡大して示す図である。
【００２０】
本実施の形態では、本発明を適用した建具として、ユニットバスを備えた浴室と脱衣室との間の出入口に設けられる開き戸を例に挙げる。
【００２１】
本実施の形態の建具は、図１乃至図４に示すように、開口枠１と、建物の躯体２及び浴室の壁パネル３に設けた開口部を開閉する障子４とを備える。開口枠１は、上枠５と、下枠６と、一対の縦枠７とを四周枠組したものであり、壁パネル３や額縁８に固定されている。障子４は、ピボットヒンジなどのヒンジ機構（図示せず）により開口枠１に支持されており、上下方向に沿ったヒンジ軸を中心として面外方向に回動することが可能である。
【００２２】
この開口枠１の縦枠７は、それぞれアルミの押出成形によって一様の横断面を有するように構成したもので、縦枠本体７１、止水材取付部７２及び本体側保持部７１ｂを有している。
【００２３】
縦枠本体７１は、開口枠１を構成する主要部分であり、角筒状に構成してある。縦枠本体７１の見込み面には、ネジ挿通孔７１ａ′を介してネジ締結孔７１ａが設けてある。
【００２４】
止水材取付部７２は、縦枠本体７１において脱衣室側に位置する内方側の隅部から見付け方向に沿って開口枠１の内方に突出したヒレ状を成す部分である。止水材取付部７２の先端部には、止水材７５が取り付けられている。止水材７５は、障子４を閉じた場合に障子４に圧接された状態となり、縦枠７と障子４との隙間を通じた水の出入りを制限するものである。本体側保持部７１ｂは、縦枠本体７１において脱衣室側に位置する内方側の隅部に設けた横断面が円形の溝であり、縦枠本体７１の長手方向に沿って全長に形成してある。
【００２５】
この本体側保持部７１ｂには、連結部としての連結部材７４を介してアングル部７３が設けてある。連結部材７４は、たとえば、ＰＶＣ（ポリ塩化ビニル）などの伸縮変形及び曲げ変形が可能な弾性樹脂材で形成したものであり、第１係合部７４ａと、連結片部７４ｂと、第２係合部７４ｃとで構成される。第１係合部７４ａ及び第２係合部７４ｃは、平板状を成す連結片部７４ｂの両端縁部に設けた厚板部分である。これら第１係合部７４ａ及び第２係合部７４ｃは、縦枠７に設けた本体側保持部７１ｂの横断面とほぼ同じ横断面の円形状に形成してある。
【００２６】
アングル部７３は、縦枠本体７１と同じ長さに形成したもので、平板状を成す基部７３ａの一端部にアングル側保持部７３ｂ及びカバー部７３ｃを有している。アングル側保持部７３ｂは、本体側保持部７１ｂと同様、横断面が円形の溝であり、アングル部７３の長手方向に沿って全長に形成してある。カバー部７３ｃは、連結片部７４ｂ、本体側保持部７１ｂ、及びアングル側保持部７３ｂを覆うように基部７３ａに沿って延在したものである。基部７３ａの適宜箇所には、ネジ締結孔７３ｄが設けてある。この際、カバー部７３ｃはアングル部７３に設けられているが、これに限らず、縦枠本体７１にカバー部７３ｃを設けてもよく、また縦枠本体７１及びアングル部７３の両方にカバー部７３ｃを設けてもよい。
【００２７】
このアングル部７３は、アングル側保持部７３ｂに連結部材７４の第２係合部７４ｃを嵌合させ、かつ連結部材７４の第１係合部７４ａを縦枠本体７１の本体側保持部７１ｂに嵌合させることによって縦枠本体７１に取り付けてあり、縦枠本体７１から脱衣室側に向けて突出している。
【００２８】
なお、図４においては戸尻側の縦枠７についてのみ示しているが、戸先側の縦枠７は戸尻側の縦枠７と対称の構成を有する。
【００２９】
上記のように構成した縦枠７は、ネジ締結孔７１ａを介してネジを締結することにより縦枠本体７１がユニットバスの壁パネル３に取り付けられ、ネジ締結孔７３ｄを介してネジを締結することによりアングル部７３が躯体２に設けられた額縁８に取り付けられる。
【００３０】
ここで、建物の躯体２に対してユニットバスが正確に位置決めされた状態で設置されないと、縦枠本体７１を固定する壁パネル３と額縁８との距離が縦枠７の寸法に合致しない事態が発生する。例えば、戸尻側の縦枠７を設置する壁パネル３に対して額縁８が見付け方向外方側に位置がずれた場合、先に縦枠本体７１を壁パネル３にネジ止めすると、アングル部７３と額縁８との間に見付け方向において隙間が生じる。しかしながら、本実施の形態の縦枠７は、アングル部７３が連結部材７４により縦枠本体７１と連結されているので、アングル部７３と額縁８との間に隙間が生じた状態でアングル部７３をネジ止めすると、図５に示すように、アングル部７３のみが見付け方向に沿って額縁８側（見付け方向外方側）に移動する。そのため、縦枠本体７１及び止水材取付部７２に曲げ変形が生じる恐れがなく、障子４に対する止水材７５の位置が見込み方向に変位する恐れもなくなる。したがって、壁パネル３と額縁８との距離が縦枠７の寸法に合致していない場合でも、障子４を閉めたときに止水材７５が障子４に圧接されない事態を防ぐことができ、止水材７５と障子４との隙間を通った浴室から脱衣室への漏水を防ぐことができる。この際、連結部材７４の第１係合部７４ａ、第２係合部７４ｃが、それぞれ本体側保持部７１ｂ、アングル側保持部７３ｂに対して回転することによって、縦枠本体７１に対してアングル部７３を見付け方向に変位可能に連結しているが、これに限らず、連結部材７４が曲げ変形することによって縦枠本体７１に対してアングル部７３を見付け方向に変位可能に連結してもよい。
【００３１】
また、壁パネル３に設けたネジ孔と額縁８に設けたネジ孔との距離が、縦枠本体７１に設けたネジ締結孔７１ａとアングル部７３に設けたネジ締結孔７３ｄとの距離よりも長くなった場合、先に縦枠本体７１を壁パネル３にネジ止めすると、アングル部７３のネジ締結孔７３ｄと額縁８のネジ孔とに見込み方向においてずれが生じる。しかしながら、本実施の形態の縦枠７は、アングル部７３が伸縮変形が可能な連結部材７４により縦枠本体７１と連結されているので、図６に示すように、アングル部７３のみを見込み方向に移動させてアングル部７３のネジ締結孔７３ｄと額縁８のネジ孔との位置を合わせることができる。そのため、縦枠本体７１に設けたネジ締結孔７１ａとアングル部７３に設けたネジ締結孔７３ｄとの距離にずれがあっても、縦枠７を確実に設置することができる。
【００３２】
このように、本実施の形態の建具で用いる縦枠７は、壁パネル３に固定される縦枠本体７１と額縁８に固定されるアングル部７３とを別体とし、弾性樹脂材でなる連結部材７４で連結したことにより、壁パネル３と額縁８との距離が縦枠７の寸法に合致していないことによる縦枠７と障子４との隙間からの漏水を防ぐことができるとともに、縦枠７を確実に設置することができる。
【００３３】
（実施の形態２）
図７は、本発明の実施の形態２である建具における縦枠本体とアングル部との連結構成を示す図である。
【００３４】
本実施の形態の建具は、実施の形態１の建具と同様の構成であり、縦枠７が、縦枠本体７１とアングル部７３とを伸縮可能な弾性樹脂材でなる連結部材７４で連結した構成になっている。本実施の形態の縦枠７において、実施の形態１と異なる点は、アングル部７３の形状である。
【００３５】
本実施の形態のアングル部７３は、図７に示すように、アングル側保持部７３ｂより縦枠本体７１側に、止水材取付部７２の表面を覆うカバー部７３ｅを有する。また、これにともない、縦枠本体７１の隅部には、見込み方向に突出するカバー部７１ｃを設けている。
【００３６】
本実施の形態の縦枠７も、壁パネル３に固定される縦枠本体７１と額縁８に固定されるアングル部７３とを別体とし、弾性樹脂材でなる連結部材７４で連結している。そのため、実施の形態１の縦枠７と同様、壁パネル３と額縁８との距離が縦枠７の寸法に合致していないことによる縦枠７と障子４との隙間からの漏水を防ぐことができるとともに、縦枠７を確実に設置することができる。
【００３７】
また、本実施の形態の縦枠７は、アングル部７３に、止水材取付部７２の表面を覆うカバー部７３ｅを設けている。そのため、脱衣室側からの外力による止水材取付部７２の曲げ変形を防ぐことができる。
【００３８】
さらに、本実施の形態の縦枠７は、縦枠本体７１とアングル部７３との隙間から連結部材７４が見えて美観が損なわれることを防げる。また、アングル部７３にカバー部７３ｅを設けて止水材取付部７２との入隅をなくすことで、縦枠７の外観を多様化できる。
【００３９】
（実施の形態３）
図８は、本発明の実施の形態３である建具における縦枠本体とアングル部との連結構成を示す図である。
【００４０】
本実施の形態の建具は、実施の形態１の建具と同様の構成であり、縦枠７が、縦枠本体７１とアングル部７３とを伸縮可能な弾性樹脂材で連結した構成になっている。本実施の形態の縦枠７において、実施の形態１及び実施の形態２と異なる点は、アングル部７３と連結部としての連結基部７４とを樹脂材料で一体に形成してある点である。
【００４１】
本実施の形態のアングル部７３は、図８に示すように、縦枠本体７１に連結される側の端部に、止水材取付部７２の先端部側に曲がっており、かつ横断面がテーパー形状をなすテーパー部７３ｆを有する。テーパー部７３ｆの端には、連結基部７４が一体形成してある。連結基部７４は、横断面が矩形状であり、見付け方向の幅がテーパー部７３ｆの端の幅よりも広くなるよう形成してある。連結基部７４は、止水材取付部７２に設けた本体側保持部７２ａに嵌合される。本体側保持部７２ａは、脱衣室側の表面に設けた横断面が矩形で連結基部７４とほぼ同じ断面形状の溝であり、止水材取付部７２の長手方向に沿って全長に形成してある。
【００４２】
本実施の形態のアングル部７３と連結基部７４とは、それぞれを異なる樹脂材料で形成しており、連結基部７４と比較してアングル部７３のほうが硬質である。アングル部７３は変形しにくい硬質樹脂で形成し、連結基部７４は伸縮可能（変形可能）な軟質樹脂で形成する。そのため、アングル部７３は、連結基部７４の形成に用いる樹脂材料よりも弾性率が大きい樹脂材料で形成する。アングル部７３に用いる樹脂材料と連結基部７４に用いる樹脂材料の組み合わせとしては、たとえば、硬質ＰＶＣと軟質ＰＶＣとの組み合わせがある。アングル部７３と連結基部７４との一体形成には、周知の二色押出成形技術を適用すればよい。
【００４３】
本実施の形態の縦枠７も、壁パネル３に固定される縦枠本体７１と額縁８に固定されるアングル部７３とを別体とし、弾性樹脂材でなる連結基部７４で連結している。そのため、実施の形態１の縦枠７と同様、壁パネル３と額縁８との距離が縦枠７の寸法に合致していないことによる縦枠７と障子４との隙間からの漏水を防ぐことができるとともに、縦枠７を確実に設置することができる。
【００４４】
また、本実施の形態の縦枠７は、アングル部７３の縦枠本体７１に近接する側の端部を、止水材取付部７２の先端部側に曲がるテーパー部７３ｆとし、止水材取付部７２との入隅をなくすことで、縦枠７の外観を多様化できる。
【００４５】
さらに、本実施の形態の縦枠７は、アングル部７３と連結基部７４とを一体形成したことにより、縦枠本体７１とアングル部７３とを連結する作業の作業性を向上させることができる。
【００４６】
（実施の形態４）
図９は、本発明の実施の形態４である建具における縦枠本体とアングル部との連結構成を示す図である。
【００４７】
本実施の形態の建具は、実施の形態１の建具と同様の構成であり、縦枠７が、縦枠本体７１とアングル部７３とを伸縮可能な弾性樹脂材でなる連結部としての連結基部７４で連結した構成になっている。また、本実施の形態の建具で用いる縦枠７は、実施の形態３の縦枠７と同様、アングル部７３と連結基部７４とを弾性率の異なる樹脂材料により一体形成してある。本実施の形態の縦枠７１において、実施の形態３と異なる点は、アングル部７３及び連結基部７４の形状と、縦枠本体７１の本体側保持部７１ｂの形状である。
【００４８】
本実施の形態の縦枠本体７１に設けた本体側保持部７１ｂは、図９に示すように、縦枠本体７１の隅部から見込み方向に突出しており、かつ躯体２側の見込み面から連結基部７４の連結片部７４ｂが引き出されるよう構成してある。アングル部７３は、本体側保持部７１ｂから見込み方向に突出している。連結基部７４は、本体側保持部７１ｂの外周に沿ってアングル部７３側に回りこみ、アングル部７３の端に連結している。
【００４９】
本実施の形態の縦枠７も、壁パネル３に固定される縦枠本体７１と額縁８に固定されるアングル部７３とを別体とし、弾性樹脂材でなる連結基部７４で連結している。そのため、実施の形態１の縦枠７と同様、壁パネル３と額縁８との距離が縦枠７の寸法に合致していないことによる縦枠７と障子４との隙間からの漏水を防ぐことができるとともに、縦枠７を確実に設置することができる。
【００５０】
また、本実施の形態の縦枠７は、アングル部７３と連結基部７４とを一体形成したことにより、縦枠本体７１とアングル部７３とを連結する作業の作業性を向上させることができる。
【００５１】
以上、本発明に係る建具を、上記実施の形態に基づき具体的に説明したが、本発明は、上記実施の形態に限定されるものではなく、その要旨を逸脱しない範囲において種々変更可能であることは勿論である。
【００５２】
たとえば、本発明に係る建具では、上枠や下枠を縦枠７と同様の構成にすることも可能である。また、縦枠本体７１として角筒状のものを例示しているが、必ずしも角筒状である必要はない。さらに、開き戸を例示しているが、引き戸や引き違い戸等、その他の建具にも適用することが可能である。
【符号の説明】
【００５３】
１  開口枠
２  躯体
３  壁パネル
４  障子
５  上枠
６  下枠
７  縦枠
７１  縦枠本体
７１ａ  ネジ締結孔
７１ａ′  ネジ挿通孔
７１ｂ  本体側保持部
７１ｃ  カバー部
７２  止水材取付部
７２ａ  本体側保持部
７３  アングル部
７３ａ  基部
７３ｂ  アングル側保持部
７３ｃ，７３ｅ  カバー部
７３ｄ  ネジ締結孔
７３ｆ  テーパー部
７４  連結部材、連結基部（連結部）
７４ａ  第１係合部
７４ｂ  連結片部
７４ｃ  第２係合部
７５  止水材
８  額縁
【図１】
2013227740.tif 000003
【図２】
2013227740.tif 000004
【図３】
2013227740.tif 000005
【図４】
2013227740.tif 000006
【図５】
2013227740.tif 000007
【図６】
2013227740.tif 000008
【図７】
2013227740.tif 000009
【図８】
2013227740.tif 000010
【図９】
2013227740.tif 000011